(57)【要約】【課題】従来の携帯情報端末機器では、例えば、携帯電話機において、その操作部の誤動作を防止するための蓋部の開閉動作に対応し、同一の音楽を鳴動していたが、音楽を聞いただけでは、どちらの動作を行っているかの判断が難しいという問題があった。【解決手段】本発明の携帯情報端末機器では、例えば、携帯電話機１自体の開閉動作に対応して、それぞれ個別の音楽を鳴動させることができる。そして、携帯電話機１では、使用者の選択した１曲の前半部分と後半部分とを利用し、携帯電話機１のそれぞれの動作に対応できる。そのことで、本発明では、携帯電話機１の開閉動作に関し、使用者は、聴覚でどちらの動作が行われたかを容易に判断できる。また、携帯電話機１自体のメモリ容量の使用量を低減することができる。【選択図】    図４
2004312196.tif 000002
【特許請求の範囲】
【請求項１】
ヒンジ部を介し折り畳み式可能な第１の筐体と第２の筐体とから成る携帯情報端末機器において、
少なくとも前記第１の筐体または前記第２の筐体のどちらか一方に設けられ、前記第１の筐体と前記第２の筐体との開動作及び閉動作を検知する筐体開閉検出手段と、
該筐体開閉検出手段により検知された動作が、前記開動作または前記閉動作であるかを判断する筐体動作判断手段と、
該筐体動作判断手段に基づき前記開動作または前記閉動作時に発生する音楽データをそれぞれの前記動作毎に記憶する記憶手段と、
前記開動作または前記閉動作に併せて、前記音楽データを発生する音楽出力手段とを有することを特徴とする携帯情報端末機器。
【請求項２】
前記記憶手段に記憶される音楽データは、前記開動作に併せて発生する楽曲と、前記閉動作に併せて発生する楽曲と、が合わせて１つの楽曲で構成されることを特徴とする請求項１に記載の携帯情報端末機器。
【請求項３】
前記記憶手段では、１つの前記音楽データを２つのファイルに分割して保存しており、前記筐体動作判断手段では、前記開動作または前記閉動作時にそれぞれ異なる前記ファイルを読み出すことを特徴とする請求項１に記載の携帯情報端末機器。
【請求項４】
１つの前記音楽データを２分割し、それぞれ別のファイルとして前記記憶手段に保存させる音楽データ分割手段を有し、
前記筐体動作判断手段では、前記開動作または前記閉動作時に該音楽データ分割手段により分割された異なる前記ファイルを読み出すことを特徴とする請求項１に記載の携帯情報端末機器。
【請求項５】
前記音楽データ分割手段では、前記音楽データの所望の箇所から分割できることを特徴とする請求項４に記載の携帯情報端末機器。
【請求項６】
前記開動作及び前記閉動作と前記ファイルとを選択して関連づけるファイル選択手段を有し、
前記筐体動作判断手段では、前記開動作または前記閉動作時に前記ファイル選択手段により選択された前記ファイルを読み出すことを特徴とする請求項３から請求項５のいずれかに記載の携帯情報端末機器。
【発明の詳細な説明】
【０００１】
【発明の属する技術分野】
本発明は、折り畳み式の携帯情報端末機器に関し、筐体の開閉動作に応じて、開動作時と閉動作時に鳴動させる音楽を個別の音楽として鳴動させることを可能とする携帯情報端末機器に関するものである。
【０００２】
【従来の技術】
近年、携帯情報端末機器は小型化、高機能化が進んでいる。例えば、携帯電話機では、画面が大型化し、大量の文字情報や画像を表示出来るようになっている。また、携帯電話機は、その利便性の高さの点から広く利用されており、最近では、携帯性、小型軽量化が重視され、折り畳み式の携帯電話機が広く普及している。
【０００３】
従来の携帯電話機では、例えば、使用者が、その携帯電話機の不使用時における誤作動することを防止するために、携帯電話機裏面に設けられた操作部をカバーするための蓋部が設けられている。この蓋部の開閉動作時にメロディを鳴動させることにより、蓋部の開閉動作が完全に行われたかをユーザが容易に確認することができる（例えば、特許文献１参照。）。
【０００４】
また、従来の音楽データ配信装置には、例えば、多数の音楽データが、それぞれ複数のデータファイル（区間データファイル）に分割された状態で保管されている。そして、音楽データ配信装置では、音楽データ受信装置からの要求に応じて、区間データファイルを選択的に送信することができる（例えば、特許文献２参照。）。
【０００５】
【特許文献１】
特開２００２−１６６８２号公報（第７−１０頁、第１−４図）
【特許文献２】
特開２００２−９９２８７号公報（第３−４頁、第１−３図）
【０００６】
【発明が解決しようとする課題】
上述したように、従来の携帯電話機では、例えば、不使用中に使用者のポケット等に仕舞い込んでいる際に、操作部を誤って押下する等の誤動作を防止するために、操作部を蓋部により覆っていた。そして、従来の携帯電話機では、その蓋部の開閉動作時に、同じメロディが鳴動されるが、開動作及び閉動作において同じメロディが鳴動されるため、使用者が、そのメロディを聞いたのみでは、蓋部のどちらの操作が行われたを容易に判断することは難しかった。
【０００７】
【課題を解決するための手段】
本発明は、上述した各事情に鑑みて成されたものであり、本発明の携帯情報端末機器では、ヒンジ部を介し折り畳み式可能な第１の筐体と第２の筐体とから成る携帯情報端末機器において、少なくとも前記第１の筐体または前記第２の筐体のどちらか一方に設けられ、前記第１の筐体と前記第２の筐体との開動作及び閉動作を検知する筐体開閉検出手段と、該筐体開閉検出手段により検知された動作が、前記開動作または前記閉動作であるかを判断する筐体動作判断手段と、該筐体動作判断手段に基づき前記開動作または前記閉動作時に発生する音楽データをそれぞれの前記動作毎に記憶する記憶手段と、前記開動作または前記閉動作に併せて、前記音楽データを発生する音楽出力手段とを有することを特徴とする。従って、本発明の携帯情報端末機器では、その第１及び第２の筐体の開閉動作に対応して、それぞれ個別の音楽を鳴動させることができる。
【０００８】
また、本発明の携帯情報端末機器では、前記記憶手段に記憶される音楽データは、前記開動作に併せて発生する楽曲と、前記閉動作に併せて発生する楽曲と、が合わせて１つの楽曲で構成されることを特徴とする。従って、本発明の携帯情報端末機器では、開動作に併せて発生する楽曲と閉動作に併せて発生する楽曲により、１つの楽曲を発生することができる。
【０００９】
また、本発明の携帯情報端末機器では、前記記憶手段では、１つの前記音楽データを２つのファイルに分割して保存しており、前記筐体動作判断手段では、前記開動作または前記閉動作時にそれぞれ異なる前記ファイルを読み出すことを特徴とする。従って、本発明の携帯情報端末機器では、予め、設定さている、または、アンテナ等を介し受信等により取得した１つの音楽データが、前半部分及び後半部分の２つのファイルに分割して保存されている場合には、それぞれ動作に対応して個別の音楽を鳴動させることができる。
【００１０】
また、本発明の携帯情報端末機器では、１つの前記音楽データを２分割し、それぞれ別のファイルとして前記記憶手段に保存させる音楽データ分割手段を有し、前記筐体動作判断手段では、前記開動作または前記閉動作時に該音楽データ分割手段により分割された異なる前記ファイルを読み出すことを特徴とする。従って、本発明の携帯情報端末機器では、予め、設定さている、または、アンテナ等を介し受信等により取得した１つの音楽データを、前半部分及び後半部分との２つのファイルに分割して保存することができる。そして、本発明の携帯情報端末機器では、それぞれ動作に対応して個別の音楽を鳴動させることができる。
【００１１】
また、本発明の携帯情報端末機器では、前記音楽データ分割手段では、前記音楽データの所望の箇所から分割できることを特徴とする。従って、本発明の携帯情報端末機器では、使用者が、予め、設定さている、または、アンテナ等を介し受信等により取得した１つの音楽データを、所望の箇所において、前半部分及び後半部分に分割し、保存することができる。
【００１２】
また、本発明の携帯情報端末機器では、前記開動作及び前記閉動作と前記ファイルとを選択して関連づけるファイル選択手段を有し、前記筐体動作判断手段では、前記開動作または前記閉動作時に前記ファイル選択手段により選択された前記ファイルを読み出すことを特徴とする。従って、本発明の携帯情報端末機器では、使用者の選択により、前半部分及び後半部分に分割し、保存されている音楽データを第１及び第２の筐体の開動作及び閉動作のそれぞれに対応させることができる。
【００１３】
本発明では、携帯情報端末機器の第１及び第２の筐体の開閉動作時における音楽の連動について、開閉動作時に鳴動される音楽をそれぞれ別々のファイルとして保存する。そして、携帯情報端末機器の第１及び第２の筐体の開閉動作における開閉検出の要求に応じて、保存している各音楽を鳴動させることに特徴を有する。
【００１４】
【発明の実施の形態】
以下に、本発明における一実施の形態について、図１〜図４を参照にして詳細に説明する。本発明は、筐体が折り畳み式である任意の携帯情報端末機器に適用できるが、以下では、好適な実施の形態として、折り畳み可能なカメラ付携帯電話機１（以下、携帯電話機と呼ぶ。）について説明する。尚、カメラ機能が搭載されていない場合でも良い。
【００１５】
先ず、図１は本発明の一実施の形態である携帯電話機の（Ａ）開いた状態での内側（キー面）から見た概観図、（Ｂ）閉じた状態における上筐体の外側（背面）から見た概観図であり、（Ｃ）閉じた状態における下筐体の外側（背面）から見た概観図であり、図２は同携帯電話機の電気的構成を説明する概略機能ブロック図である。
【００１６】
図１（Ａ）から（Ｃ）に示す如く、携帯電話機１は略直方体形状を有する上筐体２と下筐体３を含む機器本体から成り、上筐体２と下筐体３とは、それぞれ長手方向の一端部に設けられた相互に揺動変位可能に支持する揺動機構４によって係接されている。
【００１７】
上筐体２の正面側には、例えば、液晶ディスプレイ（ＬＣＤ）からなる表示部２７と、表示部２７の上方にイヤスピーカー５が設けられている。また、表示部２７の下方に開閉検出スイッチ用突起部７が設けられている。一方、上筐体２の背面側には、撮像部９、第２表示部１０及び背面キー１１が設けられている。そして、撮像部９は、蓋部外側のヒンジ近くの中央付近に配置され、閉じた状態でも第２表示部１０で被写体を確認しながら撮影ができる。また、背面キー１１は第２表示部１０の下方に配され、閉じた状態でシャッタキーとして使用され、使用者が自らを撮影するのに適している。一方、開いた状態で撮影する場合は、表示部２７あるいは第２表示部１０で被写体を確認しながら、キー操作部２８のシャッタキー２８１を押下することで撮影することができる。
【００１８】
下筐体３の正面側には、複数の操作キーが行列状に配置されて構成されているキー操作部２８と、キー操作部２８の下方にマイク６が設けられている。また、キー操作部２８の上方で、且つ、上筐体２と下筐体３とを閉めた状態時に、上筐体２の開閉検出スイッチ用突起部７と重なる箇所に、クラムシェル開閉スイッチ８が設けられている。キー操作部２８は、撮影を行うためのシャッターキー２８１、カメラモードを起動させるカメラキー２８２、電源投入するための電源キー２８３、メールモードを起動させるメールキー２８４、十字キー２８５、数字・文字キー等から構成されている。一方、下筐体３の背面側には、バッテリ収納部を覆う蓋部材である電池蓋１２が、着脱可能なように装着されている。電池蓋１２の下方には、スピーカー１３が設けられている。そして、スピーカー１３からは、主に、通話時の相手の声以外の音楽、アラーム音等の大きな音が出力される。
【００１９】
上筐体２と下筐体３とを揺動可能に係接する揺動機構４は、いわゆるヒンジである。そして、上筐体２及び下筐体３を係接するピン部材が回転軸を構成するので、上筐体２と下筐体３とは互いに回転軸まわりに角変位すなわち揺動可能である。
【００２０】
図２に示す如く、本実施の形態の携帯電話機１は、主に、制御部２１、メモリ２２、クラムシェル開閉検出部２３、開閉音制御部２４、音声出力部２５、表示ドライバ部２６、表示部２７、キー操作部２８、アンテナ２９、無線部３０、通信制御部３１、バックライト３２を備えている。
【００２１】
制御部２１は、携帯電話機１を構成する各部位の動作を制御し、例えば、メモリ２２、開閉音制御部２４、表示ドライバ部２６、通信制御部３１、バックライト３２等を制御する。
【００２２】
メモリ２２は、読み出し及び書き込み可能なＲＡＭ（Ｒａｎｄａｍ  Ａｃｃｅｓｓ  Ｍｅｍｏｒｙ）であり、例えば、ワークメモリ及び不揮発メモリから構成される。そして、使用者が、アンテナ２９等を介して受信した音楽データをワークメモリを介して編集し、不揮発メモリに保存することができる。また、図２には示していないが、携帯電話機１には、読み出し専用であるＲＯＭ（Ｒｅａｄ  Ｏｎｌｙ  Ｍｅｍｏｒｙ）からなるメモリもあり、出荷時に、予め、設定された音楽データが保存されており、この音楽データも、後述する携帯電話機１の開閉動作時の認識音として用いることができる。その他、メモリ２２の不揮発メモリには、アンテナ２９等を介して受信した各種データ、例えば、画像データ、文字データ等が保存される。
【００２３】
クラムシェル開閉検出部２３は、主に、開閉検出スイッチ用突起部７及びクラムシェル開閉スイッチ８から構成される。そして、上述した上筐体２と下筐体３とを有する折り畳み式の携帯電話機１が、開動作状態（図１（Ａ）に示す状態）にあるか、あるいは閉動作状態（図１（Ｂ）に示す状態）にあるかを判断する。具体的には、携帯電話機１が閉動作状態時には、開閉検出スイッチ用突起部７がクラムシェル開閉スイッチ８を押下し、クラムシェル開閉スイッチ８は外力を受ける。一方、携帯電話機１が開動作状態時には、クラムシェル開閉スイッチ８が押下された状態から、非接触状態となり、外力を受けない。つまり、クラムシェル開閉スイッチ８に関し、開動作状態に応答するか、あるいは、閉動作状態に応答するかは、開閉検出スイッチ用突起部７との接触状態において異なる。そのことで、クラムシェル開閉スイッチ８の接点状態に応じた電気信号を生成することで、携帯電話機１が開動作状態にあるか、あるいは閉動作状態にあるかを制御部２１へ伝える。
【００２４】
制御部２１内の開閉動作判断手段では、上述したクラムシェル開閉スイッチ８の接点状態に応じて生成される電気信号の信号レベルの遷移タイミングを検出することによって、携帯電話機１が開動作状態にあるか、あるいは閉動作状態にあるかを判別する。そして、制御部２１内の開閉動作判断手段は、その判別に基づき、開動作状態時には、メモリ２２から開動作状態に応答して発生する、予め、使用者が選択した音楽データの先頭アドレスを検出する。一方、閉動作状態時には、メモリ２２から閉動作状態に応答して発生する、予め、使用者が選択した音楽データの先頭アドレスを検出する。
【００２５】
開閉音制御部２４は、制御部２１内の開閉動作判断手段から伝達される先頭アドレスを受信し、その受信した先頭アドレスに基づきメモリ２２からその先頭アドレスに対応した音楽データを読み出す。そして、開閉音制御部２４は、その読み出した音楽データを音声出力部２５へと送る。
【００２６】
音声出力部２５は、Ａ／Ｄ（アナログ／デジタル）変換部を有し、開閉音制御部２４から送られる音楽データをデジタル信号からアナログ信号へと変換し、該音楽データに基づく音楽をスピーカ１３から出力する。
【００２７】
制御部２１は、表示ドライバ部２６に制御信号を送信するとともに、メモリ２２等に記憶された画像データ、文字データ等を、表示ドライバ部２６に送る。
【００２８】
表示ドライバ部２６は、表示部２７に表示しようとする画像データ、文字データに従って、表示部２７の各画素電極に対して駆動電圧を印加する。表示部２７は、液晶ディスプレイおよびＥＬ（Ｅｌｅｃｔｒｏ  Ｌｕｍｉｎｅｓｃｅｎｓｅ）ディスプレイなどで実現され、表示ドライバ部２６を介して送られてくる画像データに基づく画像、文字データに基づく文字等を表示する。
【００２９】
バックライト３２は、発光素子である発光ダイオードなどから構成され、表示部２７を背面より照明する。バックライト３２の点灯、消灯の制御および輝度調整などの制御は、制御部２１によって行われる。尚、バックライト３２は、使用者によって消灯するための所定の操作が行われるまで点灯する構成としてもよいし、点灯してから所定時間が経過すると消灯する構成としてもよい。
【００３０】
キー操作部２８は、上述したように、数字および文字を入力するためのキーなどから構成される。
【００３１】
アンテナ２９は、無線電波を介して基地局と無線通信を行うときに、音声データ、文字データおよび画像データなどを送受信する。無線部３０は、受信時は、基地局からアンテナ２９を介して受信したデータを復調し、送信時は、通信制御部３１から送られてくる文字データおよび画像データなどを変調して増幅し、アンテナ２９を介して基地局に送信する。通信制御部３１は、無線部３０が復調した文字データおよび画像データなどの受信データを所定の通信プロトコルに基づいて制御部２１に送る。無線部３０、通信制御部３１を介して受信した相手先からの受信データは、メモリ２２に保存される。
【００３２】
また、本実施の形態における制御部１１内の音楽データ分割手段では、例えば、携帯電話機１の音楽編集モードにおいて、使用者が、キー操作部２８を操作し、メモリ２２内の音楽データを再生する。そして、使用者が、キー操作部２８を操作し、再生された音楽データの所望の箇所で停止した際に、その箇所にフラグを設定する。そして、制御部１１内の音楽データ分割手段は、フラグの設定された音楽データのそのフラグの前後で、１つの音楽データを分割し、それぞれの別ファイルとしてメモリ２２に保存させる。
【００３３】
尚、図１（Ｂ）では第２表示部１０、撮像部９を示しているが、図２では第２表示部１０及びそれに伴う表示ドライバ部及びバックライト、また、撮像部９及びそれに伴うは画像処理部は省略している。
【００３４】
次に、図３は、本発明の携帯電話機の上下筐体の開閉時に伴う開動作音、閉動作音の鳴動機能の基本形態について説明するためのフローチャートであり、図４は同携帯電話機において、開動作及び閉動作に音楽を設定するシーケンスを説明するためのフローチャートである。
【００３５】
図３に示す如く、使用者は、携帯電話機１において、開閉動作時に音楽を発生し、どちらの動作が行われているかを聴覚により認識できる開閉動作音鳴動機能を設定する（ステップＳ１）。そして、使用者が、携帯電話機１を使用するために上下筐体２、３を開く開動作を行い、あるいは、使用者が、携帯電話機１の使用を終え上下筐体２、３を閉じる閉動作を行う（ステップＳ２）。このとき、携帯電話機１のクラムシェル検出スイッチ８では、開閉検出スイッチ用突起部７との接触状態に応じて開動作であるか、あるいは閉動作であるかを検知し、その動作に応答した電気信号を生成する。
【００３６】
制御部２１内の開閉動作判断手段が、クラムシェル開閉スイッチ８で生成される電気信号の信号レベルの遷移タイミングを検出し、携帯電話機１の上下筐体が開動作時であると判断した場合には（ステップＳ３のＹＥＳ）、閉動作対応の音楽が鳴動中であるか、否かを判断する（ステップＳ４）。そして、制御部２１内の開閉動作判断手段は、閉動作対応の音楽が鳴動中であると判断した場合には（ステップＳ４のＹＥＳ）、閉動作音の音楽の鳴動を継続させる。一方、制御部２１内の開閉動作判断手段は、閉動作対応の音楽が鳴動中でないと判断した場合には（ステップＳ４のＮＯ）、メモリ２２から開動作に応答して発生する音楽データの先頭アドレスを検出する。そして、開閉音制御部２４は、制御部２１内の開閉動作判断手段から伝達される先頭アドレスを受信し、その受信した先頭アドレスに基づきメモリ２２からその先頭アドレスに対応した音楽データを読み出す（ステップＳ５）。その後、音声出力部２５では、開閉音制御部２４から送られる音楽データに基づき、携帯電話機１の開動作に応答して、該音楽データに基づく音楽をスピーカ１３から鳴動させる（ステップＳ６）。
【００３７】
一方、制御部２１内の開閉動作判断手段が、クラムシェル開閉スイッチ８で生成される電気信号の信号レベルの遷移タイミングを検出し、携帯電話機１の上下筐体が開動作時でないと判断した場合には（ステップＳ３のＮＯ）、開動作対応の音楽が鳴動中であるか、否かを判断する（ステップＳ７）。そして、制御部２１内の開閉動作判断手段は、開動作対応の音楽が鳴動中であると判断した場合には（ステップＳ７のＹＥＳ）、開動作音の音楽の鳴動を継続させる。一方、制御部２１内の開閉動作判断手段は、開動作対応の音楽が鳴動中でないと判断した場合には（ステップＳ７のＮＯ）、メモリ２２から閉動作に応答して発生する音楽データの先頭アドレスを検出する。そして、開閉音制御部２４は、制御部２１内の開閉動作判断手段から伝達される先頭アドレスを受信し、その受信した先頭アドレスに基づきメモリ２２からその先頭アドレスに対応した音楽データを読み出す（ステップＳ８）。その後、音声出力部２５では、開閉音制御部２４から送られる音楽データに基づき、携帯電話機１の閉動作に応答して、該音楽データに基づく音楽をスピーカー１３から鳴動させる（ステップＳ９）。
【００３８】
本実施の形態では、携帯電話機１の開動作に対応した音楽と閉動作に対応した音楽を設定することが出来、更に、それぞれの音楽を合わせて１曲となる楽曲を設定することができる。そして、本実施の形態では、上述したように、開動作に対応した音楽、または、閉動作に対応した音楽の再生が終了した後に、閉動作に対応した音楽、または、開動作に対応した音楽を再生する。そのことで、使用者が、携帯電話機１の開動作に続いて閉動作を素早く実施した場合においても、使用者は、開動作に対応した音楽と閉動作に対応した音楽を１曲の楽曲として聞くことができる。
【００３９】
尚、本実施の形態では、開動作、または、閉動作時に、閉動作、または、開動作に対応する音楽が鳴動中の場合には、その鳴動中の音楽が終了してから、それぞれの動作に対応した音楽が鳴動される場合について説明したが、この場合に限定する必要はない。例えば、開動作、または、閉動作に対応する音楽が鳴動中の場合にのみ、閉動作、または、開動作に対応する音楽が鳴動するのを、その音楽が終了するまで待つ形態としても良い。この実施の形態においては、開動作に対応した音楽と閉動作に対応した音楽とが１曲の楽曲として設定した場合には、１曲の楽曲となる先頭音楽が、開動作、または、閉動作のどちらかに設定されているかを判断し、先頭音楽についてその鳴動の終了を待つようにすればよい。また、例えば、開動作、または、閉動作に対応する音楽が鳴動中に、その鳴動中の音楽を強制終了させ、閉動作、または、開動作に対応する音楽を鳴動させる形態としても良い。この実施の形態においては、使用者に、開動作、または、閉動作のどちらかが行われたことを早期に報知することができる。そして、この場合には、鳴動中の音楽を強制終了させた後に、一定の間隔をあけてから閉動作、または、開動作に対応する音楽を鳴動させれば良い。
【００４０】
図４に示す如く、使用者が、携帯電話機１の開閉動作音設定モードを用いて所望の音楽を選択し、それぞれの動作音に設定する場合には、使用者はキー操作部２８を操作し開閉動作音設定モードの起動を指示する（ステップＳ１１）。制御部２１は表示ドライバ部２６を制御し、例えば、表示部２７に設定音楽の一覧表示画面を表示させる（ステップＳ１２）。そして、使用者が表示画面に従い、キー操作部２８の、例えば、十字キー２８５を操作し、画面上で所望の音楽を選択し、決定キーを押下する（ステップＳ１３）。制御部２１は、メモリ２２を制御し、選択された音楽ファイルを判別し、選択された音楽ファイルに含まれる音楽データが分割された状態で保存されているか、否かを判断する（ステップＳ１４）。
【００４１】
制御部２１が、選択された音楽データは分割されて保存されていると判断した場合には（ステップＳ１４のＹＥＳ）、更に、制御部２１は、選択された音楽データが１曲から成り、且つ、選択された音楽データが前半部分及び後半部分の２分割により保存されているか、否かの判断をする（ステップＳ１５）。そして、制御部２１は、選択された音楽データが１曲から成り、且つ、選択された音楽データが２分割で保存されていると判断した場合には（ステップＳ１５のＹＥＳ）、制御部２１は、メモリ２２を制御し、選択された音楽データの前半部分の先頭アドレスを携帯電話機１の開動作時に鳴動させる音楽として設定し、記憶させる（ステップＳ１６）。また、制御部２１は、メモリ２２を制御し、選択された音楽データの後半部分の先頭アドレスを携帯電話機１の閉動作時に鳴動させる音楽として設定し、記憶させる（ステップＳ１７）。
【００４２】
制御部２１が、選択された音楽データは分割されて保存されていないと判断した場合には（ステップＳ１４のＮＯ）、また、制御部２１は、選択された音楽データが１曲から成り、且つ、選択された音楽データが２分割で保存されていないと判断した場合には（ステップＳ１５のＮＯ）、制御部２１は、メモリ２２を制御し、選択された音楽データの先頭アドレスを携帯電話機１の開動作時に鳴動させる音楽として設定し、記憶させる（ステップＳ１８）。尚、ステップＳ１５のＮＯの場合には、複数に分割された音楽データの最初のデータの先頭アドレスを設定し、記憶させる。そして、使用者が、再び、携帯電話機１の閉動作時に鳴動される音楽を選択すると（ステップＳ１９）、制御部２１は、メモリ２２を制御し、選択された音楽データを判別し、選択された音楽データが分割された状態で保存されているか、否かを判断する（ステップＳ２０）。
【００４３】
制御部２１が、選択された音楽データは分割されて保存されていると判断した場合には（ステップＳ２０のＹＥＳ）、更に、制御部２１は、選択された音楽データが１曲から成り、且つ、選択された音楽データが前半部分及び後半部分の２分割により保存されているか、否かの判断をする（ステップＳ２１）。そして、制御部２１は、選択された音楽データが１曲から成り、且つ、選択された音楽データが２分割で保存されていると判断した場合には（ステップＳ２１のＹＥＳ）、制御部２１は、メモリ２２を制御し、選択された音楽データの後半部分の先頭アドレスを携帯電話機１の閉動作時に鳴動させる音楽として設定し、記憶させる（ステップＳ２２）。
【００４４】
制御部２１が、選択された音楽データは分割されて保存されていないと判断した場合には（ステップＳ２０のＮＯ）、また、制御部２１は、選択された音楽データが１曲から成り、且つ、選択された音楽データが２分割で保存されていないと判断した場合には（ステップＳ２１のＮＯ）、制御部２１は、メモリ２２を制御し、選択された音楽データの先頭アドレスを携帯電話機１の閉動作時に鳴動させる音楽として設定し、記憶させる（ステップＳ２３）。尚、ステップＳ２１のＮＯの場合には、複数に分割された音楽データの最初のデータの先頭アドレスを設定し、記憶させる。
【００４５】
上述したように、本実施の形態では、携帯電話機１の開動作または閉動作時に、それぞれ個別の音楽を鳴動させることで、使用者は、自己の携帯電話機１への動作を聴覚を介して、容易に判別することができる。そして、本実施の形態では、図４のステップＳ１４のＹＥＳからステップＳ１７のフローチャートで説明したように、１曲の音楽の前半部分と後半部分とを利用して、それぞれの開閉動作時に鳴動させることができる。
【００４６】
つまり、携帯電話機１自体のメモリ容量には限界があり、その他の画像データ、文字データ、音楽データ等も保存されるため、その使用容量にも限界がある。しかしながら、本実施の形態の携帯電話機１では、１曲の音楽データにより、個別に、携帯電話機１のそれぞれの開閉動作時に鳴動させる音楽に対応することができる。そのことで、携帯電話機１自体のメモリの使用量も低減でき、使用者のお気に入りの音楽を用いてそれぞれの開閉動作に対応でき、使用者の利便性を向上させることができる。
【００４７】
また、上述したように、本実施の形態では、予め、携帯電話機１内のメモリに保存されている音楽データ、あるいは、アンテナ等を介して受信した音楽データが、前半部分と後半部分に分割して、保存されている場合について説明したが、この場合に限定する必要はない。例えば、上述した携帯電話機１の音楽データ分割手段を用いることで、使用者は、１曲のなかで、所望の箇所により音楽データを前半部分と後半部分に分割することができる。そのことで、使用者は、携帯電話機１の開動作に対してはその曲の先頭から鳴動させ、一方、使用者の好みのフレーズの箇所から、あるいは、サビの箇所から携帯電話機１の閉動作に対応させて鳴動させることができる。また、本実施の形態では、図示していないが、制御部内のファイル選択手段を用いることで、閉動作を選択した音楽データの前半部分、開動作を選択した音楽データの後半部分に対応させる等、使用者の目的に応じて、それぞれの動作における音楽を選択することも可能である。
【００４８】
更に、本実施の形態では、選択した音楽データが分割して、保存されていない場合であっても、例えば、音楽データに、予め、フラグ等を設定しておくことで、曲の先頭からそのフラグまでの音楽データを前半部分とし、フラグ以下の音楽データを後半部分とすることもできる。そして、音楽データの前半部分及び後半部分は、上述したように、携帯電話機１の開閉動作に対応させて、それぞれ個別に鳴動される。
【００４９】
更に、本実施の形態では、折り畳み式の携帯電話機１自体の開閉動作に対応させて、それぞれ個別の音楽を鳴動させる場合について説明したが、この場合に限定する必要はない。例えば、携帯電話機１に設けられたカメラ機能のレンズカバーにも用いることができる。つまり、携帯電話機１のカメラのレンズカバーの開閉動作に対しても、使用者の所望の音楽を鳴動させることで、使用者が、その開閉動作を聴覚により容易に判別することができる。また、最近では、携帯電話機１のカメラ機能を用いた盗撮も社会問題となっているが、レンズカバーの開閉動作に音楽を対応させることで、第３者に対しても、その動作を通知することが出来、盗撮の疑いを持たれる危険性も低減することができる。その他、本発明の要旨を逸脱しない範囲で、種々の変更が可能である。
【００５０】
【発明の効果】
上述したように、第１に、本発明の携帯情報端末機器では、折り畳み式の携帯情報端末機器を構成する筐体の開閉動作に対応して、それぞれ個別の音楽を鳴動させる。そして、開閉動作のそれぞれに対応して鳴動される音楽データは、その１曲の音楽データの前半部分と後半部分とに分割して、保存されている。そのことで、本発明の携帯情報端末機器では、携帯情報端末機器の開閉動作のそれぞれに対応して、個別の音楽を鳴動させることで、使用者は、どちらの動作であるかを聴覚により容易に判断することができる。また、使用者が選択した１曲の音楽を２分割して用いることで、携帯情報端末機器自体のメモリ容量を有効活用することができる。
【００５１】
第２に、本発明の携帯情報端末機器では、第１の効果に上述したように、使用者は、自らの選択した１曲の音楽の所望の箇所で、音楽を２つに分割し、携帯情報端末機器の開閉動作に対応して、それぞれ音楽を鳴動させることができる。そのことで、本発明の携帯情報端末機器では、使用者が、自らの選択した１曲の音楽に対し、好みのフレーズから、あるいは、その音楽のサビの箇所から、その音楽を分割することができ、使用者の利便性、嗜好性向上に寄与することができる。
【図面の簡単な説明】
【図１】本発明の一実施の形態である携帯電話機の（Ａ）開いた状態での内側（キー面）から見た概観図、（Ｂ）閉じた状態での上筐体の外側（背面）から見た概観図であり、（Ｃ）閉じた状態での下筐体の外側（背面）から見た概観図である。
【図２】同携帯電話機の電気的構成を説明する概略機能ブロック図である。
【図３】同携帯電話機の上下筐体の開閉時に伴う開動作音、閉動作音の鳴動機能の基本形態について説明するためのフローチャートである。
【図４】同携帯電話機の開動作及び閉動作に音楽を設定するシーケンスを説明するためのフローチャートである。
【符号の説明】
１          カメラ付携帯電話機
２          上筐体
３          下筐体
４          揺動機構
５          イヤスピーカー
６          マイク
７          開閉検出スイッチ用突起部
８          クラムシェル開閉スイッチ
９          撮像部
１０          第２表示部
１１          背面キー
１２          電池蓋
１３          スピーカー
２１          制御部
２２          メモリ
２３          クラムシェル開閉検出部
２４          開閉音制御部
２５          音声出力部
２６          表示ドライバ部
２７          表示部
２８          キー操作部
２９          アンテナ
３０          無線部
３１          通信制御部
３２          バックライト
【図１】
2004312196.tif 000003
【図２】
2004312196.tif 000004
【図３】
2004312196.tif 000005
【図４】
2004312196.tif 000006